(57)【要約】【課題】  専用工具を用いることなく胴に対して容易に着脱できる腕時計を提供する。【解決手段】  胴５とこれに着脱可能に連結されるバンド３のエンドピース６との内の一方に凸部１１を、他方に筒部１７を設ける。筒部１７は、凸部１１に嵌合する収容凹部１８及びこの収容凹部１８に連通する連結孔１９を有する。凸部１１に移動可能でかつ外れ止めして連結部品１２を取付ける。連結部品１２は、押込み操作面１４ａを有するとともに、この操作面から折れ曲がるように連なる一対の係合面１４ｂが形成されて連結部品１２の移動により連結孔１９に挿脱する係合ヘッド１４を有する。この連結部品１２を付勢部材１６によって付勢して、係合ヘッド１４の押込み操作面１４ａが凸部１１の一面から突出するようにしている。【選択図】      図２
2006296544.tif 000002
【特許請求の範囲】
【請求項１】
胴にバンドが着脱可能に連結された腕時計において、
前記バンドのエンドピースと胴の内の一方に設けられた凸部と、
この凸部を受入れる収容凹部及びこの収容凹部に連通する連結孔を有して前記一方に対する他方に設けられた筒部と、
押込み操作面及びこの操作面から折れ曲がるように連なる一対の係合面が形成された係合ヘッドを有して、前記凸部に移動可能でかつ外れ止めされて取付けられるとともに、この移動により前記連結孔に前記係合ヘッドが挿脱される連結部品と、
前記押込み操作面が前記凸部の一面から突出するように前記連結部品を付勢する付勢部材と、
を具備した腕時計。
【請求項２】
一対の前記係合面の内の少なくとも前記凸部の先端側に位置する係合面と前記押込み操作面とがなす前記係合ヘッドの角部に面取りされた斜状面を設けるとともに、この斜状面に対応させて前記筒部の先端縁に前記収容凹部に臨んで面取りされた斜状面を設けた請求項１に記載の腕時計。
【請求項３】
前記凸部と筒部とが嵌合された連結状態で、前記係合ヘッドを前記連結孔が開けられた前記筒部の外面から陥没させた請求項１又は２に記載の腕時計。
【請求項４】
前記連結孔を前記筒部の裏壁に開けた請求項１から３のいずれか一項に記載の腕時計。
【請求項５】
前記押込み操作面が前記凸部の一面から突出されたときに前記連結部品に設けた外れ止めが当たる位置決め面を前記凸部に設けた請求項１から４のいずれか一項に記載の腕時計。
【請求項６】
押込み操作面及びこの操作面から折れ曲がるように連なる一対の係合面が形成された係合ヘッドを有した連結部品を、胴に設けられた凸部に移動可能でかつ外れ止めして取付け、この連結部品を前記押込み操作面が前記凸部の一面から突出するように付勢部材で付勢した腕時計に備えられ、前記凸部に着脱可能に連結される時計用バンドであって、
エンドピースを備え、このエンドピースに前記凸部を受入れる収容凹部を設けるとともに、前記エンドピースに前記係合ヘッドが挿脱される連結孔を前記収容凹部に連通して設けた時計用バンド。
【請求項７】
収容凹部及びこの収容凹部に連通する連結孔を有した筒部を胴に設けた腕時計に備えられ、前記筒部に着脱可能に連結される時計用バンドであって、
前記収容凹部に受入れられる凸部が設けられたエンドピースと、
押込み操作面及びこの操作面から折れ曲がるように連なる一対の係合面が形成された係合ヘッドを有して、前記凸部に移動可能でかつ外れ止めされて取付けられるとともに、この移動により前記連結孔に前記係合ヘッドが挿脱される連結部品と、
前記押込み操作面が前記凸部の一面から突出するように前記連結部品を付勢する付勢部材と、
を具備した時計用バンド。
【発明の詳細な説明】
【技術分野】
【０００１】
本発明は、時計用バンド及びこのバンドが胴に着脱可能に取付けられた腕時計に関する。
【背景技術】
【０００２】
腕時計の胴にバンドを取付けるには一般的にばね棒を用いる構成が多用されている（例えば、特許文献１参照。）。
【０００３】
この特許文献１の技術では、ハンドのエンドピースにその幅方向に延びる貫通孔を設けるとともに、このエンドピースを受入れるかん股を相互間に形成した胴のかん足に夫々取付け穴を設けている。そして、内蔵ばねで突出方向に付勢された段付きピンを軸方向両側に夫々有してなるばね棒を、エンドピースの貫通孔に通すとともに、このばね棒の段付きピンをかん足の取付け穴に夫々挿入させることによって、バンドを胴に連結している。この連結及びその解除、つまり、胴にバンドを着脱するに際には、ピンセットなどの専用工具を用いて段付きピンを内蔵ばねに抗して押し込む作業を要する。
【０００４】
又、腕時計の胴に対してねじを用いてバンドを取付ける技術も知られている（例えば、特許文献２参照。）。
【０００５】
この特許文献２は、胴に突設したフランジ部に貫通孔を形成し、フランジ部に被さるバンドのエンドピース裏面に前記貫通孔に挿入されるねじパイプを固定し、このねじパイプにフランジ部の裏面からねじを螺合して、胴にバンドを着脱可能にねじ止めする技術を示している。更に、特許文献２は、胴にバンド挿入溝を形成するとともにフランジ部を突設して、フランジ部にねじ穴を形成し、このフランジ部に被さるバンドのエンドピースをフランジ部の先端部裏面に引っ掛けるとともにバンド挿入溝に挿入させた状態で、ねじ穴に螺合されるねじでエンドピースを押し上げて、胴にバンドを着脱可能にねじ止めする技術を示している。
【特許文献１】特開昭６１−１５４６０４号公報（第１頁左欄第１８行〜第２頁左上欄第１６行、図２−図４）
【特許文献２】特開昭６２−９４１０３号公報（第２頁左上欄第２行〜同頁右上欄第１２行、第２頁右下欄第８行〜第３頁右上欄第８行、図１−図７）
【発明の開示】
【発明が解決しようとする課題】
【０００６】
胴へのバンドの連結にばね棒を用いる特許文献１の技術では、胴に対するバンドの着脱に専用工具を用いなければならないので、不便である。しかも、ばね棒の段付きピンは突出方向に常に付勢されてので、バンドを着脱する際に、ばね棒の段付きピンの先端が胴のかん足を擦ることがあると、胴が傷付けられる恐れがある。
【０００７】
胴へのバンドの連結にねじを用いる特許文献２の技術では、連結に伴い胴が傷付けられる恐れはないが、連結に使用するねじは一般的なねじに比較して遥かに小さいので、それに合った専用工具（この場合小型ねじ回し）を用いなければならないので、胴に対するバンドの着脱作業が不便であるという点では特許文献１の技術と同じである。
【０００８】
しかも、ばね棒やねじ等の連結部品は、バンド交換をする際に胴又はバンドから外されるので、紛失するおそれがある。
【０００９】
以上のように従来は、胴に対するバンドの着脱に専用工具が必要であり、その作業も容易ではないとともに、連結部品を紛失する恐れがある。このため、従来の技術は、腕時計の意匠に変化を与えて使用するために、例えば使用者が任意にバンドを交換しようとする場合には不適当である。
【００１０】
本発明の目的は、専用工具を用いることなく胴に対して容易に着脱できる時計用バンド及び腕時計を提供することにある。
【課題を解決するための手段】
【００１１】
前記課題を解決するために、本発明は、胴にバンドが着脱可能に連結された腕時計において、前記バンドのエンドピースと胴の内の一方に設けられた凸部と、この凸部を受入れる収容凹部及びこの収容凹部に連通する連結孔を有して前記一方に対する他方に設けられた筒部と、押込み操作面及びこの操作面から折れ曲がるように連なる一対の係合面が形成された係合ヘッドを有して、前記凸部に移動可能でかつ外れ止めされて取付けられるとともに、この移動により前記連結孔に前記係合ヘッドが挿脱される連結部品と、前記押込み操作面が前記凸部の一面から突出するように前記連結部品を付勢する付勢部材と、を具備している。
【００１２】
この発明の腕時計では、筒部の収容凹部と凸部とを嵌合させることにより、付勢部材の付勢力に抗して凸部内に没するように連結部品が一旦移動された後に、この部材の係合ヘッドが連結孔に適正に対向するに伴い付勢部材により連結部品が押し動かされる。それにより、連結孔内に係合ヘッドが入り込んで、その係合面が連結孔の縁に引っ掛かって、胴とバンドとを連結できる。この連結状態では、係合ヘッドの押込み操作面が外部から押込み可能に配置されている。このため、押込み操作面を指先などで押して連結部品を付勢部材の付勢力に抗して押込みながら凸部と筒部とを引き離すことにより、胴からバンドを外すことができる。
【００１３】
本発明の腕時計の好ましい形態では、一対の前記係合面の内の少なくとも前記凸部の先端側に位置する係合面と前記押込み操作面とがなす前記係合ヘッドの角部に面取りされた斜状面を設けるとともに、この斜状面に対応させて前記筒部の先端縁に前記収容凹部に臨んで面取りされた斜状面を設けている。
【００１４】
この発明の形態では、胴にバンドを連結する際、係合ヘッドの角部の斜状面と筒部の斜状面とが当たるに伴い、係合ヘッドと筒部の先端縁とが引っ掛かることを防止しつつ連結部品が付勢部材に抗して押込まれるので、凸部と筒部とを円滑に嵌合させて胴にバンドを連結できる。
【００１５】
又、本発明の好ましい形態では、前記凸部と筒部とが嵌合された連結状態で、前記係合ヘッドを前記連結孔が開けられた前記筒部の外面から陥没させている。
【００１６】
この発明の形態では、連結孔に引っ掛かっている連結部材の係合ヘッドが筒部の外面から陥没しているので、不用意に係合ヘッドが押込まれる恐れがない。
【００１７】
又、本発明の好ましい形態では、前記連結孔を前記筒部の裏壁に開けている。
【００１８】
この発明の形態では、腕時計の使用時に、使用者の腕によって連結孔が閉じられるので、腕時計の表側から不用意に係合ヘッドが押込まれる恐れがない。
【００１９】
又、本発明の好ましい形態では、前記押込み操作面が前記凸部の一面から突出されたときに前記連結部品に設けた外れ止めが当たる位置決め面を前記凸部に設けている。
【００２０】
この発明の形態では、付勢部材の付勢力で連結部品が押されてその係合ヘッドが連結孔に係合する時などに、位置決め面に連結部品の外れ止めが当接する音が発生するので、胴に対するバンドの取付け完了を使用者等に知覚させることができる。
【００２１】
又、前記課題を解決するために、本発明は、押込み操作面及びこの操作面から折れ曲がるように連なる一対の係合面が形成された係合ヘッドを有した連結部品を、胴に設けられた凸部に移動可能でかつ外れ止めして取付け、この連結部品を前記押込み操作面が前記凸部の一面から突出するように付勢部材で付勢した腕時計に備えられ、前記凸部に着脱可能に連結される時計用バンドであって、エンドピースを備え、このエンドピースに前記凸部を受入れる収容凹部を設けるとともに、前記エンドピースに前記係合ヘッドが挿脱される連結孔を前記収容凹部に連通して設けている。
【００２２】
この発明の時計用バンドでは、そのエンドキャップの筒部の収容凹部を胴の凸部に嵌合させることにより、付勢部材の付勢力に抗して凸部内に没するように連結部品が一旦移動された後に、この部材の係合ヘッドが連結孔に適正に対向するに伴い付勢部材により連結部品が押し動かされる。それにより、筒部の連結孔内に係合ヘッドが入り込んで、その係合面が連結孔の縁に引っ掛かって、バンドを胴に連結できる。この連結状態では、係合ヘッドの押込み操作面が外部から押込み可能に配置されている。このため、押込み操作面を指先などで押して連結部品を付勢部材の付勢力に抗して押込みながら凸部と筒部とを引き離すことにより、胴からバンドを外すことができる。
【００２３】
又、前記課題を解決するために、本発明は、収容凹部及びこの収容凹部に連通する連結孔を有した筒部を胴に設けた腕時計に備えられ、前記筒部に着脱可能に連結される時計用バンドであって、前記収容凹部に受入れられる凸部が設けられたエンドピースと、押込み操作面及びこの操作面から折れ曲がるように連なる一対の係合面が形成された係合ヘッドを有して、前記凸部に移動可能でかつ外れ止めされて取付けられるとともに、この移動により前記連結孔に前記係合ヘッドが挿脱される連結部品と、前記押込み操作面が前記凸部の一面から突出するように前記連結部品を付勢する付勢部材と、を具備している。
【００２４】
この発明の時計用バンドでは、そのエンドキャップの凸部を、胴に設けた筒部の収容凹部に嵌合させることにより、付勢部材の付勢力に抗して凸部内に没するように連結部品が一旦移動された後に、この部材の係合ヘッドが連結孔に適正に対向するに伴い付勢部材により連結部品が押し動かされる。それにより、筒部の連結孔内に係合ヘッドが入り込んで、その係合面が連結孔の縁に引っ掛かって、バンドを胴に連結できる。この連結状態では、係合ヘッドの押込み操作面が外部から押込み可能に配置されている。このため、押込み操作面を指先などで押して連結部品を付勢部材の付勢力に抗して押込みながら凸部と筒部とを引き離すことにより、胴からバンドを外すことができる。
【発明の効果】
【００２５】
本発明によれば、バンドのエンドピースと胴の内の一方に設けた凸部と他方に設けた筒部と嵌合させるという簡単な作業で、胴にバンドを連結できるとともに、連結孔内の係合ヘッドを押込みながら凸部と筒部とを引き離すという簡単な作業で胴からバンドを外すことができ、これらの作業において専用工具を要することがないので、胴に対して容易にバンドを着脱できる腕時計を提供できる。
【００２６】
本発明によれば、バンドのエンドピースに設けた筒部を胴に設けた凸部に嵌合させるという簡単な作業で、バンドを胴に連結できるとともに、連結孔内の係合ヘッドを押込みながら筒部を凸部から引き離すという簡単な作業でバンドを胴から外すことができ、これらの作業において専用工具を要することがないので、胴に対して容易に着脱できる時計用バンドを提供できる。
【００２７】
本発明によれば、バンドのエンドピースに設けた凸部を胴に設けた筒部に嵌合させるという簡単な作業で、バンドを胴に連結できるとともに、連結孔内の係合ヘッドを押込みながら凸部を筒部から引き離すという簡単な作業でバンドを胴から外すことができ、これらの作業において専用工具を要することがないので、胴に対して容易に着脱できる時計用バンドを提供できる。
【発明を実施するための最良の形態】
【００２８】
図１〜図４を参照して本発明の第１実施形態を説明する。
【００２９】
図１に示す腕時計１は、時計外装組立２にバンド３を取付けている。時計外装組立２内には、文字板及び図示しない時計ムーブメント等が収容されている。なお、図１中符号４は竜頭を示している。
【００３０】
図１に示すようにバンド３は、文字板の６時及び１２時側に対応して時計外装組立２が備えた金属又は合成樹脂製の胴５に、着脱可能に取付けられている。図示のバンド３は、合成樹脂又は皮革等を主体として形成されたものであるが、金属製例えば複数のバンド駒を棒状の駒連結部品により、この駒連結部品を中心に回動可能に連結して形成されたものであってもよい。バンド３は時計外装組立２側に位置する端部にエンドピース６を備えている。このエンドピース６は金属製であることが好ましいが、硬質合成樹脂製とすることも可能である。
【００３１】
次に、胴５にバンド３を着脱するための構成を説明する。
【００３２】
時計外装組立２の胴５の外周面には文字板の６時及び１２時側に対応して凸部１１が夫々一体に突設されている。これらの凸部１１は、かん部またはかん足と称することもでき、文字板の３時−９時方向に延びる長方形状をなしている。これらの凸部１１は、好ましい例として根元から先端に向かうに従い次第に下がる斜状をなしているが、こうした傾斜は必ずしも有しなくてもよい。
【００３３】
図２〜図４に示すようにこれらの凸部１１には、その一面例えば裏面に開放する第１の溝１１ａ、他面例えば前記裏面に平行な表面に開放する第２の溝１１ｂ、及びこれら第１の溝１１ａと第２の溝１１ｂとを連通する通孔１１ｃとが設けられている。第１の溝１１ａ及び第２の溝１１ｂは、いずれも長方形状をなしていて、文字板の３時−９時方向に延びている。第１の溝１１ａは第２の溝１１ｂより大形であり、第２の溝１１ｂの奥面は位置決め面１１ｄとして機能し、この位置決め面１１ｄには通孔１１ｃの一端が開放されている。
【００３４】
図２〜図４に示すようにこれらの凸部１１の夫々には、連結部品１２と、外れ止め１５と、付勢部材１６とが組込まれている。
【００３５】
詳しくは、連結部品１２は、好ましくは金属製であって、軸部１３と、この軸部１３の一端に一体に設けられた係合ヘッド１４とからなる。軸部１３は、通孔１１ｃを貫通して第１の溝１１ａと第２の溝１１ｂとにわたる長さを有している。本実施形態では、連結部品１２が円滑に平行移動するように通孔１１ｃ及び軸部１３は、図１に示すように複数例えば一対設けてあるが、これらは夫々単一であってもよい。
【００３６】
係合ヘッド１４は、押込み操作面１４ａ及び一対の係合面１４ｂを有している。押込み操作面１４ａは軸部１３の長手方向と直交する平面で形成されていて、使用者の指の爪先で押すことができる面積を有していることが好ましい。なお、押込み操作面１４ａは本実施形態では文字板の３時−９時方向に延びる長方形状であるが、同方向に延びる菱形形状や楕円形状であってもよい。
【００３７】
一対の係合面１４ｂは軸部１３と平行であって、これらは押込み操作面１４ａから折れ曲がるように連なって形成されている。これらの係合面１４ｂと押込み操作面１４ａとがなす係合ヘッド１４の角部には、面取りされた斜状面１４ｃが夫々設けられている。したがって、押込み操作面１４ａと一対の係合面１４ｂとは斜状面１４ｃを介して連なっている。なお、斜状面１４ｃは凸部１１の先端側に位置する係合面１４ｂと押込み操作面１４ａとにわたってだけ設けてもよい。斜状面１４ｃは斜面又は円弧面で形成される。
【００３８】
係合ヘッド１４の全長、つまり、押込み操作面１４ａから軸部１３の先端面までの寸法は、凸部１１の互いに平行な二面例えば表裏面間の距離（言い換えれば凸部１１の厚みより僅かに短い。この係合ヘッド１４を有した連結部品１２は、軸部１３を通孔１１ｃに貫通させるとともに、係合ヘッド１４を第１の溝１１ａに収容して凸部１１に組込まれて、通孔１１ｃ及び第１の溝１１ａの側面をガイドとして凸部１１の厚み方向に移動可能に設けられている。
【００３９】
第２の溝１１ｂ内に位置した軸部１３の先端部には外れ止め１５が取付けられている。外れ止め１５は、軸部１５に連結された止め輪によって形成されている。しかし、これに代えて、軸より大径な頭部を有するねじを軸部１３の端面にねじ込んで、このねじを外れ止めとすることもできる。この外れ止め１５は位置決め面１１ｄに接離可能である。外れ止め１５及び凸部１１は、位置決め面１１ｄへの当たり音を明確に得るために金属製とすることが好ましい。
【００４０】
付勢部材１６には例えばコイルばねが用いられている。この付勢部材１６にはコイルばねに代えて板ばねを用いることができる。この場合は、連結部品１２の移動ストロークをより大きく確保できる点で好ましい。付勢部材１６は、軸部１３に巻き付くようにして係合ヘッド１４の裏面と第１の溝１１ａの奥面とに両端を当てて圧縮状態に組込まれている。連結部品１２は、その係合ヘッド１４の押込み操作面１４ａ側部分が凸部１１の一面である裏面から突出するようにこの付勢部材１６によって付勢され、それにより、係合ヘッド１４を凸部１１の表面方向に押込み可能している。
【００４１】
この状態では、図２及び図４に示すように外れ止め１５が位置決め面１１ｄに当たって連結部品１２が外れ止めされるとともに、係合面１４ｂの押込み操作面１４ａ側の部位が第２の溝１１ｂから突出されるようになっている。更に、図２及び図４に示す状態で、軸部１３の先端面と凸部１１の表面との間の距離Ｈ１と、第１の溝１１ａの奥面とこれに対向する係合ヘッド１４の裏側端面との間の距離Ｈ２との関係は、Ｈ２≦Ｈ１に設定されている。
【００４２】
一方、図２〜図４に示すようにエンドピース６には筒部１７が設けられていて、この筒部１７に収容凹部１８と連結孔１９が設けられている。収容凹部１８は、エンドピース６の先端面に開放して胴５の凸部１１を受入れる大きさに形成されている。連結孔１９は、収容凹部１８を区画する筒部１７の例えば裏壁１７ａに開放して設けられていて、収容凹部１８と連通している。この連結孔１９は、例えば長方形状をなして係合ヘッド１４を受入れる大きさに形成されている。
【００４３】
図４に示すように筒部１７の裏壁１７ａの厚みＨ３と、凸部１１からの係合ヘッド１４の突出寸法Ｈ４との関係は、Ｈ３≧Ｈ４に設定されている。本実施形態の場合には、Ｈ３＞Ｈ４の関係に設定されている。それにより、図２に示すように凸部１１と筒部１７とが嵌合された連結状態で、連結孔１９が開けられた筒部１７の外面に対して係合ヘッド１４が陥没されるようになっている。連結孔１９が開けられた裏壁１７ａの先端縁には、収容凹部１８に臨んで面取りされた斜状面１７ｂが設けられている。この斜状面１７ｂは斜面又は円弧面で形成される。
【００４４】
時計外装組立２の胴５にバンド３を連結するには、図４に示すようにバンド３の筒部１７の開放面を、胴５の凸部１１に対向させて、筒部１７を凸部１１に嵌合させればよい。
【００４５】
それにより、まず、凸部１１の先端側に位置した方の係合ヘッド１４の斜状面１４ｃに筒部１７の斜状面１７ｂが接する。このため、連結部品１２の係合ヘッド１４と筒部１７の先端面とが引っ掛かることがないとともに、連結部品１２が付勢部材１６の付勢力に抗して凸部１１の上面方向に円滑に押込まれるので、凸部１１に対する筒部１７の嵌合を深くすることができる。
【００４６】
この嵌合の進行により、図３に示す状態を経て、相対的に凸部１１が筒部１７の奥に到達して、連結孔１９に係合ヘッド１４が正対するようになるので、この時点において付勢部材１６の付勢力で連結部品１２が移動される。これにより、凸部１１の裏面から突出された係合ヘッド１４が、図２に示すように連結孔１９に嵌合されるとともに、この連結孔１９の縁に係合ヘッド１４の係合面１４ｂが引っ掛かって、胴５にバンド３が取付けられる。なお、以上のバンド３の取付けにおいて、係合ヘッド１４を手指で押込みながら、凸部１１にバンド３の筒部１７を嵌合させてもよい。
【００４７】
こうしたバンド３の取付け作業によれば、バンド３のエンドピース６に設けた筒部１７を胴５に設けた凸部１１に嵌合させるという簡単な作業で、格別に専用工具を要することなく、バンド３を胴５に連結できる。
【００４８】
しかも、この連結において、既述のように付勢部材１６の付勢力で係合ヘッド１４が連結孔１９に係合する時に、第２の溝１１ｂの位置決め面１１ｄに連結部品１２に固定した外れ止め１５が当接するので、それに伴う発音により、胴５に対するバンド３の取付け完了を使用者等に知覚させることができる。
【００４９】
筒部１７の裏壁１７ａに開けられた連結孔１９は、腕時計１の使用時に、使用者の腕によって閉じられるので、腕時計１の表側から不用意に連結孔１９に引っ掛かっている係合ヘッド１４に物品が当たって、この係合ヘッド１４が押込まれる恐れがない。しかも、バンド３が胴５に連結された状態では、図２に示すように連結孔１９が開けられた筒部１７の裏壁１７ａの外面から係合ヘッド１４が陥没している。このため、腕時計１の使用時に不用意に係合ヘッド１４が押込まれる恐れがない。更に、本実施形態では、筒部１７の表壁１７ｃで連結部品１２を覆い隠したので、外観上好ましい。
【００５０】
バンド３の交換などにおいて、胴５からバンド３を取外すには、まず、連結孔１９に係合ヘッド１４の押込み操作面１４ａを指先などで押すことによって、連結部品１２を付勢部材１６の付勢力に抗して押込みながら凸部１１と筒部７とを引き離せばよい。これにより、図２に示す状態から図３に示す状態を得て図４に示すように胴５からバンド３を外すことができる。
【００５１】
こうしたバンド３の取外し作業によれば、連結孔１９内の係合ヘッド１４を押込みながら凸部１１と筒部１７とを引き離すという簡単な作業で、格別に専用工具を要することなく、胴５からバンド３を外すことができる。
【００５２】
従って、前記構成の腕時計１は、その組み立て作業性が良いとともに、使用者においても容易にバンド３を胴５に着脱できる。これにより、前記筒部１７を有したエンドピース６を備えた意匠が異なる複数のバンド３を使用者が用意して置く場合には、既述の手順により容易に所望のバンド３に適宜交換して、腕時計１に意匠の変化を与えて使用することが可能となる。
【００５３】
又、バンド３の連結状態（図２参照）、及びバンド３が胴５から分離された状態（図４参照）のいずれにおいても、連結部品１２は付勢部材１６で付勢されていて、外れ止め１５が位置決め面１１ｄに引っ掛かっている。このため、胴５にバンド３が連結された状態でも、胴５からバンド３が外された状態でも、付勢部材１６の付勢力によって連結部品１２が凸部１１から離脱して紛失する恐れがない。
【００５４】
図５に示す本発明の第２実施形態を説明する。第２実施形態は基本的に第１実施形態と同じであるので、同じ部分については第１実施形態と同じ符号を付して説明を省略し、以下、第１実施形態とは異なる事項を説明する。
【００５５】
第２実施形態では、第１の溝１１ａを凸部１１の裏面に開放して設けるとともに、第２の溝１１ｂを凸部１１の表面に開放して設けている。これに合わせて、連結部品１２は第１実施形態に示した状態とは上下逆様の姿勢で凸部１１に取付けられている。連結部品１２は、その係合ヘッド１４の押込み操作面１４ａ側の部分が凸部１１の表面から突出するように付勢部材１６で付勢されている。又、エンドピース６の連結孔１９は、筒部１７の表壁１７ｃに開けられているとともに、この表壁１７ｃの先端縁に斜状面１７ｂが形成されている。以上説明した事項以外は第１実施形態と同じである。
【００５６】
従って、この第２実施形態においても第１実施形態と同様な作用を得て本発明の課題を解決できる。しかも、第２実施形態においては、連結部品１２の係合ヘッド１４が視認されるので、連結部品１２に胴５及びバンド３のエンドピース６と異なる色を持たせることにより、押しボタン状の係合ヘッド１４によって腕時計１の意匠にアクセントを与えることが可能である。
【００５７】
図６及び図７に示す本発明の第３実施形態を説明する。第３実施形態は基本的に第１実施形態と同じであるので、同じ部分については第１実施形態と同じ符号を付して説明を省略し、以下、第１実施形態とは異なる事項を説明する。
【００５８】
第３実施形態では、時計外装組立２の胴５に、筒部１７を突設しており、この筒部１７の裏壁１７ａに連結孔１９と斜状面１７ｂとを設けている。これに合わせて、バンド３のエンドピース６に、第１の溝１１ａ、第２の溝１１ｂ、通孔１１ｃ、及び位置決め面１１ｄを設けている。更に、バンド３のエンドピース６に凸部１１を突設するとともに、この凸部１１に、連結部品１２と、これを付勢する付勢部材１６と、連結部品１２の抜け止め１５が組込まれている。なお、この第３実施形態は、図７に示した状態とは上下逆様に連結部品１２とともに第１の溝１１ａと第２の溝１１ｂを設け、それに合わせて連結孔１９と斜状面１７ｂとを筒部１７の表壁１７ｃに設けて実施することもできる。以上説明した事項以外は第１実施形態と同じである。
【００５９】
従って、この第３実施形態においても第１実施形態と同様な作用を得て本発明の課題を解決できる。
【図面の簡単な説明】
【００６０】
【図１】本発明の第１実施形態に係る腕時計を示す平面図。
【図２】図１中Ｆ２−Ｆ２線に沿って胴とバンドとの連結部を示す断面図。
【図３】図２の連結部を連結直前及び分解直前の状態で示す断面図。
【図４】図２の連結部が分離された状態を示す断面図。
【図５】本発明の第２実施形態に係る腕時計の胴とバンドとの連結部を示す断面図。
【図６】本発明の第３実施形態に係る腕時計を示す平面図。
【図７】図６中Ｆ７−Ｆ７線に沿って胴とバンドとの連結部を連結直前及び分解直前の状態で示す断面図。
【符号の説明】
【００６１】
１…腕時計
２…時計外装組立
３…バンド
５…胴
６…バンドのエンドピース
１１…凸部
１１ｄ…位置決め面
１２…連結部品
１３…連結部品の軸部
１４…連結部品の係合ヘッド
１４ａ…係合ヘッドの押込み操作面
１４ｂ…係合ヘッドの係合面
１４ｃ…係合ヘッドの斜状面
１５…外れ止め
１６…付勢部材
１７…筒部
１７ａ…筒部の裏壁
１７ｂ…筒部の斜状面
１７ｃ…筒部の表壁
１８…筒部の収容凹部
１９…筒部の連結孔
【図１】
2006296544.tif 000003
【図２】
2006296544.tif 000004
【図３】
2006296544.tif 000005
【図４】
2006296544.tif 000006
【図５】
2006296544.tif 000007
【図６】
2006296544.tif 000008
【図７】
2006296544.tif 000009